(57)【要約】【課題】通常仕様のユーザインタフェースでは対応が難しい災害が起きたときの特殊な機能が要求されるような場合であっても、かかる特殊な機能に対するユーザの操作性を向上させた画像処理装置を提供する。【解決手段】画像処理装置のユーザインタフェース（ＵＩ）を提供するユーザインタフェース部（ＵＩ部）１５と、このＵＩ部１５により提供されるＵＩとして、通常のＵＩと災害対応ＵＩとを記憶するＵＩ情報記憶部１６と、災害に関する情報を取得する災害情報取得部１２と、区別情報記憶部１４から区別情報を読み出し、災害に関する情報との照合によって災害の段階を定め、ＵＩの切替要求をＵＩ部１５に出力するＵＩ切替部１３とを備えた。【選択図】図１
2008046809.tif 000002
【特許請求の範囲】
【請求項１】
ユーザの操作を受け付ける受付手段と、
前記受付手段により受け付けた操作から画像処理に関する指示を特定する指示特定手段と、
前記受付手段に対する操作と前記指示特定手段により当該操作から特定される前記画像処理に関する指示との対応を表す情報（操作指示対応情報）をユーザに提供する提供手段と、
前記指示特定手段により特定した指示に基づき、画像処理を行う画像処理手段と、
災害に関する情報を取得する取得手段と、
前記取得手段により取得された前記災害に関する情報に応じて、前記提供手段により提供する情報を通常の操作指示対応情報から災害対応の操作指示対応情報に切り替える切替手段と
を備えたことを特徴とする画像処理装置。
【請求項２】
前記切替手段は、前記取得手段により取得された前記災害に関する情報から災害の段階を定め、当該段階に応じて異なった操作指示対応情報に切り替えることを特徴とする請求項１記載の画像処理装置。
【請求項３】
災害の評価項目と前記段階とを対応付けた段階判断データを保持する区別情報保持手段を更に備え、
前記切替手段は、取得された前記災害に関する情報と当該段階判断データとに応じて前記段階を定めることを特徴とする請求項２記載の画像処理装置。
【請求項４】
複数のユーザインタフェース情報（ＵＩ情報）が保持されたＵＩ情報保持手段と、
前記ＵＩ情報保持手段に保持される前記複数のＵＩ情報の中から災害状況に応じたＵＩ情報を読み出すＵＩ情報読み出し手段と
を更に備え、
前記提供手段は、前記ＵＩ情報読み出し手段により読み出されたＵＩ情報に基づき操作指示対応情報を提供することを特徴とする請求項１記載の画像処理装置。
【請求項５】
災害の種別および災害の段階に応じた前記ＵＩ情報を前記ＵＩ情報保持手段に保持されたＵＩ情報から選択するＵＩ情報選択手段を更に備え、
前記ＵＩ情報読み出し手段は、前記ＵＩ情報選択手段による選択により、前記ＵＩ情報保持手段からＵＩ情報を読み出すことを特徴とする請求項４記載の画像処理装置。
【請求項６】
前記取得手段は、前記受付手段を介して、自立的な判断によって、および外部装置、の何れか一つから前記災害に関する情報を取得することを特徴とする請求項１記載の画像処理装置。
【請求項７】
ユーザの操作を受け付ける受付手段と、
前記受付手段により受け付けた操作から画像処理に関する指示を特定する指示特定手段と、
前記受付手段に対する操作と前記指示特定手段による当該操作から特定される前記画像処理に関する指示との対応を表す情報（操作指示対応情報）をユーザに提示する提示手段と、
前記指示特定手段により特定された指示に基づき画像処理を行う画像処理手段と、
災害に関する情報を取得する取得手段と、
前記取得手段により取得された前記災害に関する情報を用いて、ユーザインタフェースを通常のユーザインタフェースから災害対応ユーザインタフェースに切り替える切替手段と
を備えたことを特徴とする画像処理システム。
【請求項８】
画像処理装置の画像処理に関して受け付けるユーザの操作と当該操作から特定される当該画像処理に関する指示との対応を表す情報（操作指示対応情報）を当該画像処理装置に提供する提供手段と、
前記提供手段により前記画像処理装置に提供される前記操作指示対応情報として、通常の操作指示対応情報と災害対応の操作指示対応情報とを保持する保持手段と、
災害に関する情報を取得する災害情報取得手段と、を含み、
前記提供手段は、前記災害情報取得手段により取得された前記災害に関する情報に基づいて、前記保持手段に保持された前記通常の操作指示対応情報と前記災害対応の操作指示対応情報との中から何れかの操作指示対応情報を読み出すことを特徴とする、情報処理装置。
【請求項９】
前記災害情報取得手段により取得した前記災害に関する情報から、災害を何れかの段階に区別するための区別情報を保持する区別情報保持手段を更に備えたことを特徴とする、請求項８記載の情報処理装置。
【請求項１０】
前記区別情報保持手段に保持される前記区別情報は、災害の種別に対応して保持されることを特徴とする請求項９記載の情報装置。
【請求項１１】
前記区別情報保持手段から区別情報を読み出し、前記災害情報取得手段により取得した前記災害に関する情報との照合によって災害の段階を定め、操作指示対応情報の切替要求を前記提供手段に出力する切替要求出力手段を更に備えたことを特徴とする、請求項９記載の情報処理装置。
【請求項１２】
前記保持手段に保持される前記操作指示対応情報は、前記画像処理装置の機能を変更または限定する際に用いられるユーザインタフェース情報（ＵＩ情報）、および/または災害時特別機能を利用する際に用いられるＵＩ情報を含むことを特徴とする、請求項８記載の情報処理装置。
【請求項１３】
前記提供手段は、災害種別および災害の段階に応じて選択すべき操作指示対応情報を特定し、前記保持手段から何れかの操作指示対応情報を読み出すことを特徴とする、請求項８記載の情報処理装置。
【請求項１４】
コンピュータに、
災害に関する情報を取得する機能と、
前記取得された前記災害に関する情報に基づいて、通常の操作指示に関するユーザインタフェース情報（ＵＩ情報）と災害対応の操作指示に関するＵＩ情報とを保持するＵＩ情報保持部から、何れかのＵＩ情報を読み出す機能と、
読み出された前記ＵＩ情報に基づいて、操作と当該操作から特定される画像処理に関する指示との対応を表す情報（操作指示対応情報）を提示部を介してユーザに提示する提示機能と、
操作受付部を介してユーザの操作を受け付ける機能と、
前記受け付けた操作から前記画像処理に関する指示を特定する指示特定機能と
を実現させるプログラム。
【請求項１５】
前記何れかのＵＩ情報を読み出す機能は、災害種別毎に災害の評価項目と災害段階とを対応付けた段階判断データを当該段階判断データを保持する段階判断データ保持部から読み出すことで当該何れかのＵＩ情報を前記ＵＩ情報保持部から読み出すことを特徴とする請求項１４記載のプログラム。
【請求項１６】
前記段階判断データは、各災害情報の前記評価項目と前記災害段階とに対応付けられた基準値であり、
各評価項目ごとに前記基準値に当てはまるか否かを判断することによって、各評価項目ごとに災害段階を判断することを特徴とする請求項１５記載のプログラム。
【請求項１７】
前記何れかのＵＩ情報を読み出す機能は、災害種別毎に災害の段階に応じたＵＩ情報を特定する区別情報を用いて特定した当該ＵＩ情報を前記ＵＩ情報保持部から読み出すことを特徴とする請求項１４記載のプログラム。
【発明の詳細な説明】
【技術分野】
【０００１】
本発明は、画像処理装置、画像処理システム、情報処理装置、プログラム等に関する。
【背景技術】
【０００２】
近年、災害に対する危機管理の必要性が強く叫ばれている。災害としては、例えば、火災、気象災害（豪雨・雷・雪等）、地震・噴火・津波・台風等の大災害などがある。例えば記録媒体に出力する画像を処理する画像処理装置などの各種機器においても、これらの災害発生時の対応が従来から検討されている。
【０００３】
ここで、従来、画像処理装置における災害発生時の対策としては、安全確保を目的とするものが存在する。公報記載の従来技術として、例えば、装置の電圧の振幅、周期の変動等から地震や装置の落下等を異常振動判定機能手段を介して確認し、定着ヒータの電力供給を強制的に停止する技術が存在する（例えば、特許文献１参照）。
【０００４】
また他の公報記載の技術として、ネットワークや電話回線に接続された複写機やプリンタに、信号発信基からの災害信号を受信する機能を備え、災害信号を受信したときには、その災害データを用紙にプリントアウト出力し、その後電源を遮断する技術が存在する（例えば、特許文献２参照。）。
【０００５】
更に、ユーザインタフェースに関する公報記載の従来技術として、ラインモードのユーザインタフェースとグラフィカルなユーザインタフェースとが混在する対話システムで、どのようなユーザであっても、戸惑うことなくアイコンを使いこなすことができるようにして使い勝手を良くする技術が存在する（例えば、特許文献３参照。）。
また、更に、メモリ資源に依存することなく、周辺機器のバージョンアップや仕様変更に応じて必要な最新の操作画面資源を自在に管理するものがある（例えば、特許文献４参照。）。
【０００６】
【特許文献１】特開平１１−１８４３２７号公報
【特許文献２】特開２００１−０２３０６０号公報
【特許文献３】特開平１０−３３３８６５号公報
【特許文献４】特開平１１−１７５２１４号公報
【発明の開示】
【発明が解決しようとする課題】
【０００７】
災害が起きたときに要求される特殊な機能について、ユーザの操作性を向上させた画像処理装置を提供することを目的とする。
【課題を解決するための手段】
【０００８】
かかる技術的課題を解決するために、本発明が適用される画像処理装置は、ユーザの操作を受け付ける受付手段と、この受付手段により受け付けた操作から画像処理に関する指示を特定する指示特定手段と、この受付手段に対する操作と指示特定手段により操作から特定される画像処理に関する指示との対応を表す情報（操作指示対応情報）をユーザに提供する提供手段と、この指示特定手段により特定した指示に基づき、画像処理を行う画像処理手段と、災害に関する情報を取得する取得手段と、この取得手段により取得された災害に関する情報に応じて、提供手段により提供する情報を通常の操作指示対応情報から災害対応の操作指示対応情報に切り替える切替手段とを備えたことを特徴とする。
【０００９】
ここで、この切替手段は、取得手段により取得された災害に関する情報から災害の段階を定め、この段階に応じて異なった操作指示対応情報に切り替えることを特徴とする。
また、災害の評価項目と段階とを対応付けた段階判断データを保持する区別情報保持手段を更に備え、この切替手段は、取得された災害に関する情報と段階判断データとに応じて段階を定めることを特徴とすることができる。
【００１０】
また、この複数のユーザインタフェース情報（ＵＩ情報）が保持されたＵＩ情報保持手段と、このＵＩ情報保持手段に保持される複数のＵＩ情報の中から災害状況に応じたＵＩ情報を読み出すＵＩ情報読み出し手段とを更に備え、提供手段は、ＵＩ情報読み出し手段により読み出されたＵＩ情報に基づき操作指示対応情報を提示することを特徴とすることができる。
【００１１】
また、この災害の種別および災害の段階に応じたＵＩ情報をＵＩ情報保持手段に保持されたＵＩ情報から選択するＵＩ情報選択手段を更に備え、このＵＩ情報読み出し手段は、ＵＩ情報選択手段による選択により、ＵＩ情報保持手段からＵＩ情報を読み出すことを特徴とすることができる。
更に、取得手段は、受付手段を介して、自立的な判断によって、および外部装置、の何れか一つから災害に関する情報を取得することを特徴とすることができる。
【００１２】
一方、本発明が適用される画像処理システムは、ユーザの操作を受け付ける受付手段と、この受付手段により受け付けた操作から画像処理に関する指示を特定する指示特定手段と、受付手段に対する操作と指示特定手段による操作から特定される画像処理に関する指示との対応を表す情報（操作指示対応情報）をユーザに提示する提示手段と、この指示特定手段により特定された指示に基づき画像処理を行う画像処理手段と、災害に関する情報を取得する取得手段と、この取得手段により取得された災害に関する情報を用いて、ユーザインタフェースを通常のユーザインタフェースから災害対応ユーザインタフェースに切り替える切替手段とを備えたことを特徴とする。
【００１３】
他の観点から捉えると、本発明が適用される情報処理装置は、画像処理装置の画像処理に関して受け付けるユーザの操作とこの操作から特定される画像処理に関する指示との対応を表す情報（操作指示対応情報）を画像処理装置に提供する提供手段と、この提供手段により画像処理装置に提供される操作指示対応情報として、通常の操作指示対応情報と災害対応の操作指示対応情報とを保持する保持手段と、災害に関する情報を取得する災害情報取得手段と、を含み、この提供手段は、災害情報取得手段により取得された災害に関する情報に基づいて、保持手段に保持された通常の操作指示対応情報と災害対応の操作指示対応情報との中から何れかの操作指示対応情報を読み出すことを特徴とする。
【００１４】
ここで、この災害情報取得手段により取得した災害に関する情報から、災害を何れかの段階に区別するための区別情報を保持する区別情報保持手段を更に備えたことを特徴とすることができる。
また、この区別情報保持手段に保持される区別情報は、災害の種別に対応して保持されることを特徴とすることができる。
更に、この区別情報保持手段から区別情報を読み出し、災害情報取得手段により取得した災害に関する情報との照合によって災害の段階を定め、操作指示対応情報の切替要求を提供手段に出力する切替要求出力手段を更に備えたことを特徴とすることができる。
【００１５】
また、この保持手段に保持される操作指示対応情報は、画像処理装置の機能を変更または限定する際に用いられるユーザインタフェース情報（ＵＩ情報）、および/または災害時特別機能を利用する際に用いられるＵＩ情報を含むことを特徴とすることができる。
更に、この提供手段は、災害種別および災害の段階に応じて選択すべき操作指示対応情報を特定し、保持手段から何れかの操作指示対応情報を読み出すことを特徴とすることができる。
【００１６】
しかして、本発明が適用されるプログラムは、コンピュータに、災害に関する情報を取得する機能と、取得された災害に関する情報に基づいて、通常の操作指示に関するユーザインタフェース情報（ＵＩ情報）と災害対応の操作指示に関するＵＩ情報とを保持するＵＩ情報保持部から、何れかのＵＩ情報を読み出す機能と、読み出されたＵＩ情報に基づいて、操作とこの操作から特定される画像処理に関する指示との対応を表す情報（操作指示対応情報）を提示部を介してユーザに提示する提示機能と、操作受付部を介してユーザの操作を受け付ける機能と、受け付けた操作から画像処理に関する指示を特定する指示特定機能とを実現させる。
【００１７】
ここで、この何れかのＵＩ情報を読み出す機能は、災害種別毎に災害の評価項目と災害段階とを対応付けた段階判断データを段階判断データを保持する段階判断データ保持部から読み出すことで何れかのＵＩ情報をＵＩ情報保持部から読み出すことを特徴とすることができる。
また、この段階判断データは、各災害情報の評価項目と災害段階とに対応付けられた基準値であり、各評価項目ごとに基準値に当てはまるか否かを判断することによって、各評価項目ごとに災害段階を判断することを特徴とすることができる。
更に、この何れかのＵＩ情報を読み出す機能は、災害種別毎に災害の段階に応じたＵＩ情報を特定する区別情報を用いて特定したＵＩ情報をＵＩ情報保持部から読み出すことを特徴とすることができる。
【発明の効果】
【００１８】
請求項１に記載の発明によれば、災害が発生した際の操作性を通常のユーザインタフェース（ＵＩ）を用いた場合と比較して向上させることができる。
請求項２に記載の発明によれば、取得した災害に関する情報から災害の段階を区別でき、請求項２に記載の発明を採用しない場合に比較してより好ましいＵＩを提供することが可能となる。
請求項３に記載の発明によれば、請求項３に記載の発明を採用しない場合に比較して段階の区別を容易に行うことができる。
請求項４に記載の発明によれば、災害の段階に応じたＵＩを提供することが可能となる。
請求項５に記載の発明によれば、ＵＩの提供処理を本構成を採用しない場合に比較して容易に行うことができる。
請求項６に記載の発明によれば、災害に関する情報の取得を本構成を採用しない場合に比較して好ましい態様で実現できる。
【００１９】
請求項７に記載の発明によれば、災害が発生した際の操作性を通常のユーザインタフェース（ＵＩ）を用いた場合と比較して向上させた画像処理システムを提供できる。
【００２０】
請求項８に記載の発明によれば、画像処理装置に対して、請求項８に記載の発明を採用しない場合に比較して災害に応じた好ましいＵＩを提供できる。
請求項９に記載の発明によれば、取得した災害に関する情報を請求項９に記載の発明を採用しない場合に比較してより適切に処理することが可能となる。
請求項１０に記載の発明によれば、災害の段階への区別を請求項１０に記載の発明を採用しない場合に比較してより迅速に行うことが可能となる。
請求項１１に記載の発明によれば、ＵＩの切替処理を請求項１１に記載の発明を採用しない場合に比較して良好に行うことができる。
請求項１２に記載の発明によれば、請求項１２に記載の発明を採用しない場合に比較してより実情に沿った内容の災害対応ＵＩを提供できる。
請求項１３に記載の発明によれば、ＵＩの選定処理を請求項１３に記載の発明を採用しない場合に比較してより適切に実現できる。
【００２１】
請求項１４に記載の発明によれば、例えば画像処理装置として機能するコンピュータに、請求項１４に記載の発明を採用しない場合に比較してより適切なＵＩ情報を提供できる。
請求項１５に記載の発明によれば、コンピュータにて、災害の段階の判断処理を請求項１５に記載の発明を採用しない場合に比較してより良好に行うことが可能となる。
請求項１６に記載の発明によれば、実現に際して請求項１６に記載の発明を採用しない場合に比較してより好ましい判断処理を提供できる。
請求項１７に記載の発明によれば、災害の段階に応じたＵＩの提供に際して、災害種別の性質を加味することが可能となる。
【発明を実施するための最良の形態】
【００２２】
以下、添付図面を参照して、本発明の実施の形態について詳細に説明する。
図１は、本実施の形態が適用される画像処理装置１０の構成例を示す機能ブロック図である。画像処理装置１０は、プリンタやファクシミリ、複写機などとして機能する画像形成装置と一体となった組み込みコンピュータ等のコンピュータ装置や、画像形成装置に外部接続されるパーソナルコンピュータ等のコンピュータ装置、またはスキャナなどとして機能する画像入力装置と一体となった組み込みコンピュータ等のコンピュータ装置や、画像入力装置に外部接続されるパーソナルコンピュータ等のコンピュータ装置などによって実現される。この画像処理装置１０は、例えば、小さなスペースにて多数の品種を扱う形態の小売店である所謂コンビニエンスストアなどに設置される。この所謂コンビニエンスストアなどに設置される画像処理装置１０は、通常の動作時には、例えばプリンタやファクシミリ、複写機、スキャナとして、また、デジタルカメラで撮影した写真をプリントアウトする装置等として利用される場合がある。
【００２３】
また、この画像処理装置１０は、例えばサーバ（図１２参照）から各種情報を取得する等、外部との通信を実行する外部ＩＦ（インタフェース）１１を備えている。外部ＩＦは、たとえば社内ネットワークやインターネット、サーバと接続するための専用線やＶＰＮ（バーチャルプライベートネットワーク）等に接続される。また、画像処理装置１０は、災害情報（災害に関する情報）を取得する災害情報取得部１２と、この災害情報取得部１２から取得した災害情報に基づいてユーザインタフェース（ＵＩ）を切り替えるＵＩ切替部１３とを備えている。更に、ＵＩ切替部１３にて、後述する災害種別判断や災害レベル（災害の段階）判断などが行われる際の各種情報が記憶されたメモリである区別情報記憶部１４を備えている。
【００２４】
また、画像処理装置１０は、たとえばマウスおよびタッチパネルなどの位置指示装置またはキーボードなどの入力装置で構成されてユーザの操作を受け付ける受付部と、この受付部により受け付けた操作に基づき画像処理に関する指示を特定する特定部を備えたユーザインタフェース部（ＵＩ部）１５と、各種ユーザインタフェース情報が記憶されているＵＩ情報記憶部１６とを備えている。ＵＩ部１５は、ＵＩ切替部１３からの切替要求により、ＵＩ情報記憶部１６から所定のＵＩ情報を読み出して展開している。
【００２５】
提示部は、例えばディスプレイなどの表示機能を用いて、画像処理装置１０を利用するユーザ（利用者、作業者、オペレータ等、また小売店の店員等をも含む）に対して、所定の情報を視覚提示する。ディスプレイは必要に応じて各種解像度のＶＦＤ（蛍光表示管）や液晶ディスプレイなどで実現される。また視覚提示する他に、たとえばスピーカなどの音声発生器を用いた音声での提示、ランプなどを用いた光の点滅による提示、バイブレータなどの振動を発する素子を用いた振動による提示でも良い。
受付部は、たとえばディスプレイに表示されたボタン等の仮想的なスイッチ類に対する操作を検出するディスプレイに設けられたセンサーや、ハードウェアのスイッチなどで実現され、画像処理装置１０を利用するユーザから操作を受け付ける。また受付部は音声入力を行うマイクなどを用いて音声による操作を受け付けるようにしてもよい。
指示特定部は、たとえばメモリ上に保持されたプログラムをＣＰＵが実行することによって実現され、受け付けた操作から画像処理に関する指示を特定する。
ＵＩ部１５は画像処理装置１０自体に設ける他、たとえば携帯電話やＰＤＡ（パーソナルデジタルアシスタンス）、電子手帳、パーソナルコンピュータなどの情報処理装置を有線または無線で接続して用いることも出来る。また、場合によっては、各種入力機能を用いて災害情報などのユーザからの情報入力を認識する場合もある。
【００２６】
また、画像処理装置１０は、画像処理装置１０の全体を制御する装置制御部１７を備えている。更に、画像処理に携わる各種機能として、例えば、スキャナや電話回線、外部接続されたＰＣ（パーソナルコンピュータ）などのコンピュータ等から、処理すべき画像データを取得する画像取得部２１と、取得された画像データを処理する画像処理部２２と、処理された画像データを出力する画像形成部２３とを備えている。ここで、この画像形成部２３は、例えば電子写真方式によってトナー像を用紙上に形成する画像形成方式や、例えばインクを用紙上に吐出して像を形成するインクジェット方式などを採用した画像形成装置を含むものとすることができる。尚、画像形成部２３としては、実際に用紙上に画像を形成するところまでは実行せず、所定のラインを介して接続された画像形成装置に対して画像データを出力するまでの構成とすることも可能である。
【００２７】
図１に示す画像処理装置１０は、災害に関する情報の取得に際して幾つかの態様を備えている。
まず第１として、災害情報取得部１２が災害に関する情報をＵＩ部１５から取得する態様である。例えば、画像処理装置１０のＵＩ部１５に緊急状態を入力する機能があれば、この機能によって入力されたものを認識することによって、災害に関する情報を取得することができる。例えば緊急ボタン（スイッチ）や緊急コマンド設定などが例として挙げられる。災害情報取得部１２によって、この災害情報が取得されると、ＵＩ切替部１３では、取得されたこの災害情報に基づき、ＵＩ部１５について、所定のユーザインタフェース（ＵＩ）を通常のＵＩから災害対応ＵＩに切り替える。
【００２８】
また、第２として、災害情報取得部１２が災害認識部として機能し、災害に関する情報（災害情報）を自立的に判断する態様がある。例えば、地震観測計や振動検知機能などを備えて自ら災害を認識する。地震観測計としては、例えば、地震の初期微動(Ｐ波)を検知して、地震の規模や発生位置を検知し、画像処理装置１０に対する地震の影響度を認識する方法が考えられる。そして、第１の態様と同様に、ＵＩ切替部１３は、所定のＵＩを通常のＵＩから災害対応ＵＩに切り替える処理を行う。
【００２９】
更に、第３として、災害に関する情報（災害情報）をネットワークを経由して受信する態様がある。例えば、外部ＩＦ（インタフェース）１１により、ＴＣＰ/ＩＰの通信プロトコルを用いたネットワークであるインターネットを介してサーバコンピュータから災害に関する情報を取得する。このネットワークを経由した災害に関する情報としては、例えば、官庁や地方自治体が提供する情報や、企業などの外部団体が提供する情報などがある。そして、第１、第２の態様と同様に、ＵＩ切替部１３は、所定のＵＩを通常のＵＩから災害対応ＵＩに切り替える処理を行う。
【００３０】
また更に、第４として、ネットワークを経由してサーバに問い合わせを行い、所謂プル（ｐｕｌｌ）方式（期待するコンテンツをユーザが引っ張る方式）によって災害に関する情報を取得する態様がある。かかる第４の態様では、災害情報取得部１２は、外部ＩＦ１１に対して問い合わせの情報を出力し、外部ＩＦ１１は、この問い合わせの情報をもとに、例えばインターネットを介して外部のサーバコンピュータにアクセスして、災害に関する情報を取得する。そして、第１から第３の態様と同様に、ＵＩ切替部１３は、所定のＵＩを通常のＵＩから災害対応ＵＩに切り替える処理を行う。
【００３１】
図２は、災害情報取得部１２にて取得され、ＵＩ切替部１３の切り替え処理に用いられる災害情報の一例を示した図である。災害に関する情報（災害情報）は、例えばＸＭＬファイルにて作成される。図２に示す例では、災害情報は、画像処理装置の所在地、災害種別、震度、震源地、マグニチュード、画像処理装置近隣情報などの災害レベル判断に用いられる各種情報が含まれている。『災害種別』としては、図２では『地震』の例が示されている。この災害レベル（災害の段階）の種類に応じて、震度、震源地、マグニチュードなどの各項目が決定される（後述）。
【００３２】
次に、区別情報記憶部１４について説明する。ハードディスクドライブ（ＨＤＤ）などの記憶媒体にて形成される区別情報記憶部１４は、ＣＰＵ（後述）によって実行されるソフトウェアの機能であるＵＩ切替部１３によって、情報の読み出し/書き込みが実行される。
図３は、区別情報記憶部１４に記憶されるレベル判断テーブルの例を示した図である。このレベル判断テーブルは、処理プログラムを実行するＣＰＵにて読み出され、このＣＰＵの作業のために、例えば作業用のメモリ（後述）に一時的に記憶される。このレベル判断テーブルは、図３に示すように、災害種別ごとに、評価項目（判断項目）とその程度とが定められ、それによって災害レベル（災害の段階）が決定できるように設定されている。災害種別としては、地震災害、風水害災害、火山災害、原子力災害、雪害災害、事故災害、および、その他災害がある。図３では、地震災害が選定されている。
【００３３】
この図３では、地震災害の評価項目として、自装置の震度、自装置から震源地までの距離、震源地のマグニチュード、近隣情報、経過時間が列挙されている。また、図３では、決定される災害レベルとして、第１の災害レベルである災害レベルＬＶ１、第２の災害レベルである災害レベルＬＶ２、第３の災害レベルである災害レベルＬＶ３が示されている。評価項目である自装置の震度については、例えば、基準値として震度５弱まで災害レベルＬＶ１、震度５強から震度７まで災害レベルＬＶ２、震度８以上で災害レベルＬＶ３とされている。
【００３４】
同様に、自装置から震源地までの距離については、例えば、基準値として５０ｋｍよりも離れているときには災害レベルＬＶ１、５０ｋｍ〜２０ｋｍのときには災害レベルＬＶ２、２０ｋｍよりも近いときには災害レベルＬＶ３とされている。また、震源地のマグニチュードについては、例えば、基準値としてマグニチュード４．０よりも小さいときには災害レベルＬＶ１、マグニチュード４．１〜７．０のときには災害レベルＬＶ２、マグニチュード７．１を超えるときには災害レベルＬＶ３とされている。
【００３５】
また、近隣情報としては、例えば、『要救助』で災害レベルＬＶ２、『音信不通』で災害レベルＬＶ３とされている。更に、経過時間については、基準値として、例えば１週間以上で災害レベルＬＶ１、４日以内で災害レベルＬＶ２、２日以内で災害レベルＬＶ３とされている。ＵＩ切替部１３は、この図３に示すようなレベル判断テーブルをＨＤＤから読み出してメモリにセットし、例えば図２に示すような災害情報によって照合する。そして、この照合によって災害レベルＬＶ１〜災害レベルＬＶ３を決定し、その災害レベルをメモリにセットする。
【００３６】
このように、災害種別ごとに定められたレベル判断テーブルと、取得された災害情報との照合（マッチング）から、ＵＩを決定する指針となる災害レベルが決定される。このレベル判断テーブルは、評価項目ごとに災害レベルに応じた基準値が定められている。レベル判断テーブルと災害情報とのマッチングを観察することで、各評価項目ごとに好ましい災害レベルが得られる。そして、この災害レベルの決定は、災害情報の評価項目の中で、例えば最も高いレベルを用いて決定することができる。また、例えば平均的なレベルを災害レベルとして決定することも可能である。更に、評価項目別にレベルを決定し、項目ごとにＵＩを変更しても良い。
【００３７】
次に、ＵＩ情報記憶部１６に記憶され、ＵＩ部１５を構成するディスプレイにて表示されるＵＩ表示について、図４〜図７を用いて説明する。
図４は、通常時の機能選択ユーザインタフェース（ＵＩ）の一例を示した図である。通常時では、図４に示すように、画像処理装置１０が実行可能な各種機能が選択できるようなＵＩが提供される。勿論、画像処理装置１０の種類によって、実行可能な基本機能が異なる。また、一般的には、この図４に示すような表示から所定の機能を選択した後、各機能ごとの詳細なＵＩに移行する。ここで、例えばオフィスに配置されるファクシミリやプリンタ、複写機などの各種機能を有する画像処理装置１０では、オフィスでの各種業務やオフィスでのサービスの利便性を向上させるためのＵＩが通常のＵＩとして採用されている。また、例えばコンビニエンスストアなどに配置された画像処理装置は、コンビニエンスストアの利用客に対する利便性を考慮したＵＩが通常のＵＩとして採用されている。
【００３８】
図５は、機能選択のための災害時ユーザインタフェース（ＵＩ）の第１例を示した図である。図５に示す例では、スキャナとファクシミリ（ＦＡＸ）が使用できない（使用不可能である）ことが明示されており、この例では、これらの選択ができないように設定されている。災害の種類に応じて、また、配信先クライアントに応じて、使用不可とする機能を変えることも可能である。この使用不可能の機能については、災害のレベルによって予め定めておくことも可能であるが、災害発生時の状況によって、適宜、変更することも可能である。かかる場合には、ＵＩ部１５は、ＵＩ情報記憶部１６から例えば図５に示す災害時ＵＩ（第１例）を取得し、装置制御部１７に問い合わせて使用不可の機能を認識する。そして、図５に示す災害時ＵＩ（第１例）に加え、またはこの内容を変更した災害時ＵＩをユーザに提供すればよい。
このように、例えば災害が発生したときのような緊急時には、悪化が予想される電源状況へ対応するために、また安全性を確保するために、更には、例えば消耗品を節約して装置利用の長期化を図るために等、様々な目的で画像処理装置１０としての機能を変更または限定することが要求される場合がある。かかる場合には、この図５に示すように、例えば変更または限定した機能に応じたＵＩを準備してユーザの使用利便性を向上させることが好ましい。
【００３９】
図６は、災害時ユーザインタフェース（ＵＩ）の第２例を示した図である。この第２例では、機能選択のための制限（ここでは、『ファイル操作の制限』）とともに、災害時特別機能（ここでは『安否確認機能』）の選択が、図５に示した通常ＵＩに追加されている。また、図６では、テキスト情報や図等（ＷＷＷなど）の災害情報表示も通常ＵＩに追加される。
【００４０】
ここで、例えば『安否確認機能』では、画像処理装置１０を利用して、例えば官公庁への安否登録などを行うことが可能である。一例を挙げると、『安否確認機能』の選択がなされたことを認識した後、安否登録のための記入フォーマットが印刷されたプリントを出力させるための表示を行う。この表示に従ってなされたプリント出力の指示を認識した場合には、安否登録のための記入フォーマットのプリントを画像形成部２３から出力する。また、『安否確認機能』のＵＩでは、記入フォーマットの読み込みを指示することができる。記入フォーマットに、例えば画像処理装置１０が機械認識をすることができるコード情報などが印刷されている場合には、このコード情報を頼りにしてダイヤリング等を行い、例えば安否登録を一括処理する自治体などへ、読み込んだ画像をファクシミリ送信することも可能である。このようにして、画像処理装置１０を、災害発生時の救済援助端末として利用することもできる。
【００４１】
図７は、災害時ユーザインタフェース（ＵＩ）の第３例を示した図である。この第３例では、図４に示すような通常時における機能選択ユーザインタフェース（ＵＩ）からの機能限定や追加ではなく、特に緊急を要するような近郊での災害発生時に、災害対応に特化した機能をユーザに提供する際のＵＩ例である。ここでは、災害時特別機能として、災害時の情報の収集展開に関する機能（安否登録、臨時行政サービス）や、支援情報に関する機能（要支援情報登録）が表示されている。また、機能を限定した画像処理装置の機能の選択（限定機能の選択）が表示されている。
【００４２】
この図６や図７に示すように、例えば災害が発生したときのような緊急時、非定常時の場合には、通常は画像処理装置１０を全く使用しないユーザが必然的にその画像処理装置１０を使用しなければならない場合も生じ得る。また、このとき、例えば緊急対応や安否確認などの公共的な利用態様など、通常仕様のＵＩでは対応できない災害時の特殊な機能が付加される場合もある。このような場合に、通常仕様のＵＩでは、かかる特殊な機能を利用することができず、また、画像処理装置１０の使い勝手が非常に悪く、操作性を向上させた特別なＵＩが望まれており、本実施の形態では、これらの要望に対応している。
【００４３】
次に、図１に示す画像処理装置１０にて実行される処理について、フローチャートを用いて説明する。
図８は、画像処理装置１０にて実行される全体処理を示したフローチャートである。画像処理装置１０の災害情報取得部１２は、所定の方法によって災害情報を取得する（ステップ１０１）。この所定の方法は、前述の第１の態様では、ＵＩ部１５から災害に関する情報を取得する。この第１の態様では、例えば、ＵＩ部１５にてユーザから災害発生に関する所定の入力を入力すると、このＵＩ部１５から災害情報取得部１２に対して、例えば所定のコマンドが出力される。災害情報取得部１２では、このコマンドから災害の種別、災害のレベル等を判断し、ＵＩ切替部１３にて判断可能な内容として図２に示すような災害情報をこのＵＩ切替部１３に出力する。
【００４４】
また、ステップ１０１にて、上述した第２の態様の場合には、災害情報取得部１２にて災害に関する情報（災害情報）を自立的に判断して取得し、災害情報取得部１２では、ＵＩ切替部１３にて判断可能な内容として図２に示すような災害情報をこのＵＩ切替部１３に出力する。
上述した第３の態様の場合には、災害に関する情報（災害情報）を外部ＩＦ（インタフェース）１１によりネットワークを経由して受信する。その後、災害情報取得部１２では、ＵＩ切替部１３にて判断可能な内容として、受信した災害に関する情報を図２に示すような災害情報に変換してＵＩ切替部１３に出力する。
更に、上述した第４の態様では、災害情報取得部１２は、外部ＩＦ（インタフェース）１１に対して問い合わせの情報を出力し、外部ＩＦ（インタフェース）１１はネットワークを介してこの問い合わせの情報をサーバコンピュータに出力する。そして、災害情報取得部１２は、この問い合わせの返答として外部ＩＦ（インタフェース）１１を介して災害に関する情報（災害情報）を取得する。その後、災害情報取得部１２は、取得した災害に関する情報を図２に示すような災害情報に変換してＵＩ切替部１３に出力する。
【００４５】
次に、このステップ１０１によって、災害情報取得部１２から災害情報を取得したＵＩ切替部１３は、後述するような所定のＵＩ切替判断処理を実行する（ステップ１０２）。その後、ＵＩ切替部１３から切替要求の情報を取得したＵＩ部１５は、後述するようなＵＩ情報の切り替え処理を行って（ステップ１０３）、処理が終了する。
【００４６】
図９は、図８のステップ１０２に示すＵＩ切替判断処理を詳述するフローチャートである。画像処理装置１０のＵＩ切替部１３は、まず、災害情報取得部１２にて取得された災害情報が災害発生/追加情報であるか、または災害終了情報であるかを判断する（ステップ２０１）。災害終了情報であれば、災害レベルを０とし、通常ＵＩを選択してこの通常ＵＩの選択情報をメモリにセットし（ステップ２０２）、図８のステップ１０３に示すＵＩ情報配信処理へ移行する。
【００４７】
ステップ２０１で、ＵＩ切替部１３が災害発生/通常情報であると判断する場合には、次いで災害種別を判断する（ステップ２０３）。そして、区別情報記憶部１４に記憶されているレベル判断テーブル（図３参照）を読み出して、作業用メモリ（後述）に書き込む（セットする）（ステップ２０４）。その後、取得されている災害情報を用いてレベル判断テーブルを照会する（ステップ２０５）。そして、この災害情報よりレベル判断テーブルを照会した結果として得られた災害レベルを作業用メモリに書き込んで（セットして）（ステップ２０６）、図８のステップ１０３に示すＵＩ情報の切り替え処理へ移行する。
【００４８】
次に、ＵＩ情報の切り替え処理について説明する。
図１０は、図８のステップ１０３に示すＵＩ情報切り替え処理を詳述するフローチャートである。画像処理装置１０のＵＩ部１５は、災害の種別、災害レベルに応じたＵＩを、ＵＩ情報記憶部１６（図１参照）より選択する（ステップ３０１）。その後、ＵＩ部１５では、選択して取得したＵＩ情報をＵＩに展開して（ステップ３０２）、処理が終了する。
【００４９】
図１１（ａ），（ｂ）は、ステップ３０１の処理に用いられる、災害の種別、災害レベル（災害の段階）に応じたＵＩを選択するためのメモリ情報（例えばマッチングテーブル）例を示している。図１１（ａ），（ｂ）に示すようなメモリ情報としてのマッチングテーブルは、例えば、ＵＩ情報記憶部１６、またはＵＩ部１５が利用する所定のメモリ等に記憶されている。この所定のメモリには、例えば図１１（ａ），（ｂ）など、マッチングテーブルが複数、記憶されている。これらのマッチングテーブルには、災害種別毎に、災害レベルによるＵＩの種類が示されている。図１１（ａ），（ｂ）の例では、地震、風水害、火山、原子力、雪害、事故、その他の各災害種別毎に、災害レベルＬＶ１〜ＬＶ３毎のＵＩが示されている。
【００５０】
各々のマッチングテーブルにて照会される情報は、ＵＩ情報記憶部１６に記憶されているＵＩ情報に対応している。図１１（ａ），（ｂ）に示す例では、『通常』については図４に示すＵＩが対応し、『災害ＵＩ１』については例えば図５に示す第１例が対応している。同様に、『災害ＵＩ２』については例えば図６に示す第２例が対応し、『災害ＵＩ３』については例えば図７に示す第３例が対応している。例えば、図１１（ａ）に示すマッチングテーブルが選択されている場合に、地震災害で災害レベルＬＶ２に対応したＵＩに切り替えるようにＵＩ切替部１３から指示を受けると、ＵＩ部１５は、図１１（ａ）に示すマッチングテーブルから『災害ＵＩ２』を照会する。そして、ＵＩ部１５は、ＵＩ情報記憶部１６から、図６に示すような災害時ＵＩを読み出し、ＵＩに展開する。
【００５１】
尚、（ａ），（ｂ）に示すような、複数のマッチングテーブルから何れのマッチングテーブルを選択するかは、例えば画像処理装置１０が設置された住所や郵便番号など、場所を特定できる情報の入力を認識することで行うことができる。例えば、入力された住所情報では、火山災害の心配が全くなく、また、雪害災害もほとんど無視しても良いという環境に画像処理装置１０が設置されている場合には、例えば図１１（ｂ）に示すようなマッチングテーブルが選択される。例えば、地震災害への警戒区域に設置されている場合には、地震災害に対する反応が敏感となるマッチングテーブルが選択される。この複数のマッチングテーブルから、地域に応じたものが選定されることで、災害対応画像処理装置としての性能をより向上させることが可能となる。
【００５２】
図１２は、所定の配信サーバであるサーバ５０から災害情報が配信され、クライアント（画像処理装置１０）が管理されてる状態を示した図である。図１２では、サーバ５０が配信管理する複数のクライアント（画像処理装置１０）が示されている。そして、この複数のクライアント（画像処理装置１０）は、近郊する地域でまとめられて、地区Ａ、地区Ｂ、および地区Ｃといった複数の地区に分類されている。これらの地区Ａ、地区Ｂ、地区Ｃ等の分類は、例えば、クライアントの情報とともに、サーバ５０が備えるクライアント情報データベースＤＢ（図示せず）に予め記憶されている。また、クライアント情報ＤＢに記憶されているクライアントの設置場所情報から、災害の状況、レベル等に応じて、適宜、地区区分を決定するように構成することもできる。このように構成すれば、災害の状況、レベルに応じて、遠隔地のサーバ５０から、より適切な災害情報をクライアント（画像処理装置１０）に提供することが可能となる。
【００５３】
この図１２では、まず、地区ＡにはＵＩの変更が必要ないことから、終了情報を出力し、図４に示すような通常時のＵＩ情報を地区Ａのクライアント（画像処理装置１０）に配信する。または、地区Ａのクライアントが通常状態にいる場合には、ＵＩ情報を新たに配信しない処理を選択することもできる。また、図１２の例では地区Ｂは、例えば災害の影響は中程度とすることができる。そこで、地区Ｂについては、図３に示すようなレベル判断テーブルにて同一の災害レベルが選択されるように、また、図１１に示すようなマッチングテーブルで同一のＵＩ情報が選択されるように、サーバ５０が予め設定し、サーバ５０から同一の災害情報が送信される。これによって、地区Ｂのクライアント（画像処理装置１０）では、図６に示す第２例の災害時ＵＩがクライアント（画像処理装置１０）に提供される。同様に、図１２の例では、地区Ｃは、例えば災害発生の近郊地域等、災害の影響が大きい地域を示している。この地区Ｃのクライアント（画像処理装置１０）には、図７に示す第３例の災害時ＵＩがＵＩとして提供される。このように、本実施の形態では、特定地域ごとに異なるＵＩに統一されるように、サーバ５０から災害情報が配信される。この配信方法としては、サーバ５０からプッシュ方式で配信する場合の他、クライアント（画像処理装置１０）がプル方式で配信を受けても良い。
【００５４】
尚、図４〜図７に例示するような各種ＵＩ情報は、所定の配信サーバから配信するように構成することも可能である。そして、この所定の配信サーバから配信されるＵＩ情報は、各画像処理装置１０のＵＩ情報記憶部１６に記憶される。このように構成することで、災害時ＵＩが設置時に比べて強化されるような場合であっても、簡易に新しい災害時ＵＩを提供することが可能となる。
【００５５】
また、上述したＵＩ切替部１３にてなされる判断や選択の基準としては、これらの他に、災害発生からの経過時間も考慮することができる。例えば、災害発生の直前であれば、二次災害防止機能や、耐震機能等に関するＵＩ情報が配信されることが好ましい。また、発生直後から数時間の間では、例えば電源・回線の確保、トナーなどの節約モード、災害情報との連動、他機器との連携などに関するＵＩ情報が配信されることが望まれる。更には、例えば半日〜１日経過後、およびそれ以降の数日間までは、地域情報の収集や、地域への情報展開などに関するＵＩ情報が好ましい。ＵＩ切替部１３およびＵＩ部１５は、この経過時間に応じた好ましいＵＩ情報を、ＵＩ情報記憶部１６から選択するように構成することもできる。
【００５６】
最後に、画像処理装置１０の、コンピュータとして機能する部分についてのハードウェア構成について説明する。
図１３は、例えば画像処理装置１０のコンピュータとして機能する部分におけるハードウェア構成を示した図である。図１３に示すコンピュータは、演算手段であるＣＰＵ(Central Processing Unit)２０１と、 マザーボード(Ｍ/Ｂ)チップセット２０２と、ＣＰＵバスを介してＣＰＵ２０１に接続されたメインメモリ２０３とを備えている。また、Ｍ/Ｂチップセット２０２を介してビデオカード２０４とディスプレイ２１０とがＣＰＵ２０１に接続されている。また、例えばＰＣＩ(Peripheral Component Interconnect)バス等を介してＭ/Ｂチップセット２０２に接続された磁気ディスク装置(ＨＤＤ)２０５およびネットワークインタフェース２０６を備えている。更にこのＰＣＩバスからブリッジ回路２０７およびＩＳＡ(Industry Standard Architecture)バス等の低速なバスを介してＭ/Ｂチップセット２０２に接続されたキーボード/ポインティングデバイス２０９を備える。
【００５７】
ここで、ＣＰＵ２０１は、ＯＳ(Operating System)やアプリケーション等の各種ソフトウェアを実行し、上述した各種機能を実現する。また、作業用メモリとして機能するメインメモリ２０３は、各種ソフトウェアやその実行に用いるデータ等を記憶する記憶領域を有している。更に、磁気ディスク装置２０５は、各種ソフトウェアに対する入力データや各種ソフトウェアからの出力データ等を記憶する記憶領域を備えたメモリである。本実施の形態では、区別情報記憶部１４、ＵＩ情報記憶部１６としても機能する。尚、磁気ディスク装置２０５の代わりに、フラッシュメモリに代表される半導体メモリ等が用いられる場合がある。また、本実施の形態にて、ユーザインタフェース部１５は、ディスプレイ２１０やキーボード/ポインティングデバイス２０９を介してＵＩを提供している。更に、外部ＩＦ１１は、ネットワークインタフェース２０６のハードウェアを用いて実現される。
【００５８】
このように、本実施の形態に示す各種処理は、作業用のメモリであるメインメモリ２０３を用いて、ＣＰＵ２０１にて実行されるアプリケーションプログラムで実現される。このアプリケーションプログラムは、コンピュータである画像処理装置１０を顧客（ユーザを含む）に対して提供する際に、装置の中にインストールされた状態にて提供される場合の他、コンピュータに実行させるプログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られて実行される。また、これらのプログラムは、例えばプログラム伝送装置（図示せず）によってネットワークを介し、ネットワークインタフェース２０６を経由して提供される形態がある。このプログラム伝送装置としては、例えば、ホスト側のサーバコンピュータ等に設けられ、プログラムを記憶するメモリと、ネットワークを介してプログラムを提供するプログラム伝送手段とを備えている。
【図面の簡単な説明】
【００５９】
【図１】本実施の形態が適用される画像処理装置の構成例を示す機能ブロック図である。
【図２】災害情報取得部にて取得され、ＵＩ切替部の切り替え処理に用いられる災害情報の一例を示した図である。
【図３】区別情報記憶部に記憶されるレベル判断テーブルの例を示した図である。
【図４】通常時の機能選択ユーザインタフェース（ＵＩ）の一例を示した図である。
【図５】機能選択のための災害時ユーザインタフェース（ＵＩ）の第１例を示した図である。
【図６】災害時ユーザインタフェース（ＵＩ）の第２例を示した図である。
【図７】災害時ユーザインタフェース（ＵＩ）の第３例を示した図である。
【図８】画像処理装置にて実行される全体処理を示したフローチャートである。
【図９】図８のステップ１０２に示すＵＩ切替判断処理を詳述するフローチャートである。
【図１０】図８のステップ１０３に示すＵＩ情報切り替え処理を詳述するフローチャートである。
【図１１】（ａ），（ｂ）は、ステップ３０１の処理に用いられる、災害の種別、災害レベルに応じたＵＩを選択するためのマッチングテーブル例を示した図である。
【図１２】所定の配信サーバから災害情報が配信され、クライアント（画像処理装置）が管理されてる状態を示した図である。
【図１３】例えば画像処理装置として機能するコンピュータのハードウェア構成を示した図である。
【符号の説明】
【００６０】
１０…画像処理装置、１１…外部ＩＦ（インタフェース）、１２…災害情報取得部、１３…ＵＩ切替部、１４…区別情報記憶部、１５…ユーザインタフェース部（ＵＩ部）、１６…ＵＩ情報記憶部、１７…装置制御部、２１…画像取得部、２２…画像処理部、２３…画像形成部、５０…サーバ
【図１】
2008046809.tif 000003
【図２】
2008046809.tif 000004
【図３】
2008046809.tif 000005
【図４】
2008046809.tif 000006
【図５】
2008046809.tif 000007
【図６】
2008046809.tif 000008
【図７】
2008046809.tif 000009
【図８】
2008046809.tif 000010
【図９】
2008046809.tif 000011
【図１０】
2008046809.tif 000012
【図１１】
2008046809.tif 000013
【図１２】
2008046809.tif 000014
【図１３】
2008046809.tif 000015
【手続補正書】
【提出日】平成18年8月31日(2006.8.31)
【手続補正１】
【補正対象書類名】図面
【補正対象項目名】図４
【補正方法】変更
【補正の内容】
【図４】
2008046809.tif 000016
【手続補正２】
【補正対象書類名】図面
【補正対象項目名】図５
【補正方法】変更
【補正の内容】
【図５】
2008046809.tif 000017
【手続補正３】
【補正対象書類名】図面
【補正対象項目名】図６
【補正方法】変更
【補正の内容】
【図６】
2008046809.tif 000018
【手続補正４】
【補正対象書類名】図面
【補正対象項目名】図１２
【補正方法】変更
【補正の内容】
【図１２】
2008046809.tif 000019